Podtech/llm-jp-corpus-v4-ja_patent huggingface dataset:
(57)【要約】      （修正有）【課題】搾り、乾燥皿付き鍋を製造が容易で、かつ洗浄も簡単な搾り、乾燥皿付き鍋を提供する。【解決手段】料理、食器兼用の鍋６において、鍋本体と分割可能な接合或いは系合部分を持つ、鍋と一体のものとしての、具の搾り取り、乾燥を行なう皿１を設置し、鍋と皿の接合或いは系合面は、予め、事前に決まっており、又皿のもっとも低いところ付近には、穴２が開けてあって、搾り取ったスープは、穴２から鍋に帰して再利用出来る分割可能式搾り、乾燥皿付き鍋である。【選択図】図１
2011036679.tif 000002
【特許請求の範囲】
【請求項１】
料理、食器兼用の鍋において、鍋本体と分割可能な接合或いは係合部分を持つ、鍋と一体のものとしての、具の搾り取り、乾燥を行なう皿を設置し、前記鍋と前記皿の接合或いは係合部分は、予め、事前に決まっており、又前記皿のもっとも低いところ付近には、穴が開けてあって、搾り取ったスープは、前記穴から鍋に帰して再利用出来る、分割可能式搾り、乾燥皿付き鍋、当該分割可能な両者の接合或いは係合部分に、弾性体或いは柔軟性物質を構成要素とするカバーを、何方か或いは双方に被せて、両部品の損壊を防ぐ事を特徴とする、分割可能式搾り、乾燥皿付き鍋。
【請求項２】
請求項１に記載した、分割可能式搾り、乾燥皿付き鍋の鍋本体と、分割可能式搾り、乾燥皿の皿本体、当該分割可能な両者の接合或いは係合部分に、弾性体或いは柔軟性物質を構成要素とするカバーの形状を、渦巻き型とする事を特徴とする、分割可能式搾り、乾燥皿付き鍋。
【発明の詳細な説明】
発明の詳細な説明
【技術分野】
【０００１】  本発明は、鍋に鍋としての機能の外に、具を搾り乾燥させる機能をもった皿を付け加える技術、そして皿として濡れた具を搾り、かつ排水してスープを鍋に戻す技術をもった発明「搾り、乾燥皿付き鍋」を、さらに分割可能式とする技術に関するものである。
【背景技術】
【０００２】  土鍋は保温性にすぐれ、寒い季節など、鍋料理は大活躍であるが、継続的に使用する際、タレがだんだん薄くなるという問題がある。
従来は、ある程度の間隔で、新しいタレに交換するか、鍋とは別のお皿のうえで搾ってから、そのまま使い続けるか、であった。
しかし、一々新しいタレに交換するのも、面倒かつ勿体ない気がするものであり、一方、別のお皿のうえで搾るにしても、すぐにお皿が水浸しになってしまい、面倒である。
以上の諸問題に答えた発明が「搾り、乾燥皿付き鍋」であったが、これは純粋に使用面では一定の評価を得ると思われるものの、そのとくに土鍋としての製造面、また使用後の洗浄の面で多少問題が発覚した。
【特許文献１】特許出願２００４−３８１６２５
【発明の開示】
【発明が解決しようとする課題】
【０００３】  発明品「搾り、乾燥皿付き鍋」を土鍋の製造者の側から見てみると、とくに中央部に皿をもつタイプの場合、鍋の内部に皿をもつというのは些か製造が難しい。
また、食後の洗浄の面から考えても、鍋とその内側にくっついた皿というのは、洗うのに一（ひと）苦労である。
せっかくの苦心惨憺たる発明品「搾り、乾燥皿付き鍋」も、そのとくに土鍋としての製造面、また使用後の洗浄の面がこのままでは、やはり片手落ちの感は否めず、いささか極端ではあるが、これは発明品「搾り、乾燥皿付き鍋」の、ひとつの欠点であるといえよう。
本発明は、この欠点を解決するためになされたものである。
【課題を解決するための手段】
【０００４】  料理、食器兼用の鍋において、鍋本体と分割可能な、接合或いは系合部分を持つ、鍋と一体のものとしての、具の搾り取り、乾燥を行なう皿を設置し、当該、前記皿の設置面はスープ（５）の水面より上部にあり、同じく前記皿のもっとも低いところ付近には、穴（２）が開けてあり、搾り取ったスープ（５）は、前記穴（２）から鍋に帰して再利用出来る事を特徴とする、分割可能式搾り、乾燥皿（１）付き鍋。【０００５】  請求項１に記載した、分割可能式搾り、乾燥皿（１）付き鍋本体と分割可能式搾り、乾燥皿（１）、両者の接合或いは系合面に、弾性体物質（７）或いは柔軟性物質を構成要素とするカバーを、何方か或いは双方に被せて、両部品の損壊を防ぐ事を特徴とする、分割可能式搾り、乾燥皿（１）付き鍋の接合或いは系合面。【０００６】  請求項１に記載した、分割可能式搾り、乾燥皿（１）付き鍋本体と分割可能式搾り、乾燥皿（１）、両者の接合或いは系合面に、弾性体物質（７）或いは柔軟性物質を構成要素とするカバーの形状を、渦巻き型とする事を特徴とする、分割可能式搾り、乾燥皿（１）付き鍋の接合或いは系合面。【０００７】  請求項１に記載した、搾り、乾燥皿（１）付き鍋の一部としての、搾り、乾燥皿（１）において、より容易に具の搾り取りが行なえるよう、前記皿の上面に凸（３）凹（４）する形状を持たせることを特徴とする、分割可能式搾り、乾燥皿（１）。
本発明は、以上の構成よりなる「分割可能式搾り、乾燥皿付き鍋」である。
【発明の効果】
【０００８】  本発明を使用することによって鍋は、発明品「搾り、乾燥皿付き鍋」の持つ、タレの交換の必要が殆どなくなると云う利点、と同時に、食器兼用鍋として需要の多い土鍋としても製造が容易で、かつ洗浄も簡単になる、という一石二鳥の案といえるであろう。
【発明を実施するための最良の形態】
【０００９】  以下、本発明の実施の形態を説明する。
中央上部に皿を供える土鍋を製造するさいに、多少困難として問題となる、外側の鍋と内側の皿の制作問題を、両者を分割することで解決を図る。【００１０】  このさい両者の接合に関しては、茶瓶、急須、土瓶等の注ぎ口などに多く用いられる弾性体物質（７）或いは柔軟性物質、即ち各種ビニール類、塩化ビニール、クリーンビニール、或いは各種ゴム類を、当該鍋と皿の接合或いは系合面の、何方か或いは双方に被せて、両部品の損壊を防ぐ。【００１１】  両者、即ち鍋と皿の接合面は、その制作時にはすでに決められていたポイント、部分であり、その接合面は何処でも又複数或いは鍋の縁に連続的に設定可能という意味で無数、でも可能ながら、水面より上部である方が、即ち設置面がスープ（５）に浸からないほうが、食品、鍋、皿それぞれの衛生、清潔、長持ちなどの面でより好適であるといえよう。【００１２】  その外には両者、即ち鍋と皿の接合面を、より確実化、安定化させるため筋状、渦巻き型（ネジ型）（８）にすることなどが考えられる。
【図面の簡単な説明】
【００１３】
【図１】鍋の中心部に分割可能式搾り、乾燥皿を設けた例の斜図
【図２】鍋の中心部に分割可能式搾り、乾燥皿を設けた例の側面図
【図３】鍋の側面に分割可能式搾り、乾燥皿を設けた例の斜図
【図４】鍋の側面に分割可能式搾り、乾燥皿を設けた例の側面図
【符号の説明】
【００１４】１  搾り、乾燥皿
２  穴
３  凸
４  凹
５  スープ
６  鍋
７  弾性体物質或いは柔軟性物質
８  渦巻き型（ネジ型）
【図１】
2011036679.tif 000003
【図２】
2011036679.tif 000004
【図３】
2011036679.tif 000005
【図４】
2011036679.tif 000006
(57)【要約】【課題】料理を焦がさない様に、上手く熱を加えることが可能となる、又火を消しわすれても火事にならない器を提供する。【解決手段】密閉した液体３を介して器に熱を加えることで、器全体が斑無く暖まる、又液体３を油等変える、又空気等の気体にする、又液体と気体の両方にする等、変化させることで器の温度も変えられる。【選択図】図１
2011036516.tif 000002
【特許請求の範囲】
【請求項１】
密閉した液体を介して二重にした金属でできた料理用の板。
【発明の詳細な説明】
【技術分野】
【０００１】
料理をしている時に火を消し忘れても、料理を焦がしてしまわない、又火事にならない様にするための物である。
【背景技術】
【０００２】
一般的に料理に使用する器は一重の金属でできているため、火に掛けた場合熱が一様に伝わらない為に器全体で温度に斑ができ、又火を消し忘れると異常に温度が上がり火事になる危険もあった。それを改善する為金属の厚みを増やした、又銅などの熱伝導率の高い金属にした。
【０００３】
しかし、器に使用する金属板を二重にした間に水等の液体を密閉する構造にすることにより、器を火に掛けた場合に温度の斑を抑え、又異常な温度上昇もなくなる。そのため料理が焦げない。
【０００４】
本発明は二重にした金属板の間に水等の液体を密閉する事により、火の当たる部分の温度上昇を金属板に挟まれた水等の液体が分散させる為に、器全体に熱が伝わり易く、熱の発散も良い為、異常な温度上昇も押さえられる。
【０００５】
【特許文献１】特許公表２００５−５３７３７９
【発明の開示】
【発明が解決しようとする課題】
【０００６】
解決しようとする問題点は、鍋で粘度の高い料理を煮る場合は焦げない様、頻繁に混ぜる必要がある。
【課題を解決するための手段】
【０００７】
本発明は、液体を介して暖めるため金属板全体が斑無く暖まる。
【発明の効果】
【０００８】
本発明の鍋は焦付き難い、又火の当たらない側面も暖められる、又火を止めた後も冷めにくい、等の利点がある。
【発明を実施するための最良の形態】
【０００９】
二重にした金属板の隙間に、水を入れ溶接して密閉する。
【実施例１】
【００１０】
図１は、本発明の１実施例の断面図であって、器の外側２と内側１は金属板、その間に密閉する液体３は水、接合部４は溶接でできている。液体３を油等に変える、又空気等の気体にする、又気体と液体の両方にすることで火に掛けた時の器の温度も変えられる
【産業上の利用可能性】
【００１１】
料理を加熱する器として利用する。
【図面の簡単な説明】
【００１２】
【図１】鍋の断面図である。
【図２】溶接部４の拡大図である。
【符号の説明】
【００１３】
１    内側金属板
２    外側金属板
３    水
４    溶接部
【図１】
2011036516.tif 000003
【図２】
2011036516.tif 000004
(57)【要約】      （修正有）【課題】容器に入れられた解き卵を均質にするために、卵白塊を細断する機能を有する鋏を提供する。【解決手段】鋏のブレード１の数か所に設けた貫通孔６に、卵白塊を強制的に通過させて貫通孔の刃部７と鋏本来の刃部４の両方で、積極的に卵白塊を細断する。さらに、貫通孔をすり鉢状にしたり、ブレードの外面を樋状にすることによって、より積極的に卵白塊を、貫通孔に導く。【選択図】図１
2011036523.tif 000002
【特許請求の範囲】
【請求項１】
ブレードの数か所に卵白塊細断用の貫通孔を設けたことを特徴とする卵白塊細断用鋏。
【請求項２】
貫通孔がすり鉢状であることを特徴とする請求項１に記載の卵白塊細断用鋏。
【請求項３】
ブレードの外面を樋状にしたことを特徴とする請求項１又は請求項２の卵白塊細裁断用鋏。
【発明の詳細な説明】
【技術分野】
【０００１】
容器に入れられた解き卵を均質にするために、卵白塊を細断する機能を有する鋏に関するものである。          
【背景技術】
【０００２】
従来、容器に入れられた解き卵を均質にするためには、箸または泡立器を用いて撹拌する方法をとっているが、卵白塊を完全に細断するのは困難であった。
【０００３】
そこで、このような問題を解決するために特開２００５−１３７５９号公報に記載の方法が考案されている。その方法は棒状の柄と、その先端から前方に向けて延設した刃物部と、刃物部先端に形成した容器との衝当部により、容器に入れられた解き卵を撹拌しながら切断するという方法である。
【先行技術文献】
【特許文献】
【０００４】
【特許文献１】特開２００５−１３７５９号公報
【発明の概要】
【発明が解決しようとする課題】
【０００５】
しかしながら、特開２００５−１３７５９号公報による方法は撹拌中に、刃物部に偶然に捕捉された卵白塊を切断するという消極的なもので、均質化するためには作業効率が悪い。又、刃が露出しているため非使用時、指等を損傷するおそれがある。
【課題を解決するための手段】
【０００６】
このような課題を解決するために本発明の鋏は、ブレードの数か所に卵白塊細断用の貫通孔を設けたことを特徴とする。
【０００７】
又、本発明はブレードに設けた貫通孔が、すり鉢状であることを特徴とする。
【０００８】
更に、本発明はブレードの外面を樋状にしたことを特徴とする。
【０００９】
本発明の鋏のブレードの数か所に設けた貫通孔に、卵白塊を強制的に通過させて貫通孔の刃部と鋏本来の刃部の両方で、積極的に卵白塊を細断することができる。特に、貫通孔をすり鉢状にしたり、ブレードの外面を樋状にすることによって、より積極的に卵白塊を、貫通孔に導けるものである。
【発明の効果】
【００１０】
本発明の鋏を用いることにより、鋏本来の刃部と、ブレードに設けられた貫通孔の刃部で、容器に入れられた解き卵の卵白塊を細断できるので、効率的に解き卵を均質化させることができる。又、本発明品は普遍的な鋏の形状をなすため、指等を損傷するおそれがない。
【図面の簡単な説明】
【００１１】
【図１】鋏が、バネにより開かれた状態の平面図である。
【図２】図１におけるＡＡの断面図である。
【図３】ボウル等の容器の内面の損傷を軽減するため先端に丸みを施した状態の、ブレードの側面図である。
【発明を実施するための形態】
【００１２】
本発明の実施の形態を図面１〜３に基づいて説明する。まず、本発明の鋏は、ブレード１とグリップ２およびバネ３で構成されている。ブレード１には鋏本来の刃部４を設け、グリップ２の一方の端部には鋏を閉じて収納するためのストッパー５が
設けられている。
【００１３】
ブレード１には貫通孔６が３か所設けられており、図２に示すように貫通孔６はブレード１の外面から内面に向かってすり鉢状をなし、貫通孔の刃部７を形成している。又、図２に示すように、卵白塊を貫通孔６に追い込み貫通孔６を通過させるためにブレード１の外面を樋状に加工している。次に、ブレード１の先端部はボウル等の容器の内面の損傷を軽減するため丸み８を形成している（図３参照）。さらに本発明の鋏は撹拌作業を容易にするためにブレード１に対しグリップ２に角度を持たせ、「くの字状」に形成している。
【００１４】
均質な解き卵を得るためには、本発明の鋏のブレードを可能な限りの頻度で開閉しつつ撹拌する。この操作により鋏本来の刃部４で卵白塊を細断しながら、鋏が閉じた状態で貫通孔６に強制的に捕捉された卵白塊を、鋏を開くことによりブレード１に施された貫通孔の刃部７により細断することもできる。
【符号の説明】
【００１５】
１  ブレード
２  グリップ
３  バネ
４  鋏本来の刃部
５  収納時ストッパー
６  貫通孔
７  貫通孔の刃部
８  ブレード先端の丸み        
【図１】
2011036523.tif 000003
【図２】
2011036523.tif 000004
【図３】
2011036523.tif 000005
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
ブレードの数か所に卵白塊細断用のすり鉢状をなす貫通孔を設けたことを特徴とする卵白塊細断用鋏。
【請求項２】
ブレードの外面を樋状にしたことを特徴とする請求項１に記載の卵白塊細断用鋏。
(57)【要約】【課題】患者の口腔内をより効果的に照明可能とした歯科用無影灯において、照明パターンを調整可能とし、もって、子供や大人の口腔の大きさ、形状に合せた照明パターンを形成できるようにした。【解決手段】複数枚の有機ＥＬパネル２０１〜２０３から成り、各パネルが回動軸２０’を介して回動可能に連結されている。有機ＥＬパネル２０２，２０３は、変換可能に連結されており、大きさ又は形状の異なる有機ＥＬパネルと交換可能である。【選択図】図１
2011036548.tif 000002
【特許請求の範囲】
【請求項１】
複数枚の有機ＥＬパネルから成り、各パネルが回動軸を介して回動可能に連結されていることを特徴とする歯科用無影灯。
【請求項２】
前記有機ＥＬパネルは、変換可能に連結されており、大きさ又は形状の異なる有機ＥＬパネルと交換可能であることを特徴とする請求項１に記載の歯科用無影灯。
【請求項３】
前記無影灯を支える支持アームは、伸縮自在であることを特徴とする請求項１又は２に記載の歯科用無影灯。
【発明の詳細な説明】
【技術分野】
【０００１】
本発明は、歯科治療において、患者の口腔内をより効果的に照明可能とした歯科用無影灯に関し、より詳細には、照明パターンを調整可能とし、もって、子供や大人の口腔の大きさに合せた大きさ、形状の照明パターンを形成できるようにした歯科用無影灯に関する。
【背景技術】
【０００２】
図３は、本発明が適用される一例としての無影灯を備えた歯科治療ユニットの一例を説明するための要部概略構成図で、該歯科治療ユニットは、治療椅子１，ワークテーブル２，スピットン３，術者用インスツルメントホルダ４，アシスタントインスツルメントホルダ５，ハンドピース（インスツルメント）６，インスツルメントホース７、無影灯支持用アーム８，９、無影灯１０等から成り、インスツルメントホルダ４には、歯科治療において使用する種々のハンドピース、例えば、エアータービン、マイクロエンジン、超音波スケーラ、マルチシリンジ等のハンドピース６が収納されており、周知のように、歯科治療に当り、患者は椅子１に座り、頭を安頭台に固定して治療を受ける。術者は治療椅子１を上下動，倒起動，傾斜動等させて、患者を治療しやすい姿勢にして治療を行うが、その際、術者は、無影灯１０を用いて治療作業開始前に患者の口腔内を照明して被治療部位の観察を行ったり、治療作業中に作業手元を照明したり、治療作業終了後に治療後の状態を確認する等している。
【０００３】
上述のごとき歯科用無影灯において、従来、光源としてハロゲンランプを用い、該ハロゲン光源からの光を散光反射板で反射して患者の口腔内を無影照明するようにしているが、散光反射板の形状は一定であり、従って、照明パターンは一定であった。しかし、患者の中には、子供もおれば大人もおり、それぞれ口腔の大きさや形状が異なり、各患者に適応した照明パターンが望まれていた。また、照明位置も患者の体躯の大きさ、診療姿勢（起診療状態、寝診療状態）等によって異なり、術者は、患者の口腔位置に合せて無影灯の位置を調整しなければならないが、ハロゲンランプを用いた無影灯では、ヘッド部（無影灯部）が重く、アームも太く、従って、構造的に重く、操作が大変であった。
なお、有機ＥＬを用いた無影灯は、例えば、特許文献１において公知であるが、該特許文献１に記載の無影灯においては、照明パターンを調整することはできず、使用目的に合ったパターン照明を行うことができない。
【先行技術文献】
【特許文献】
【０００４】
【特許文献１】特開２００５−３２２６０２号公報
【発明の概要】
【発明が解決しようとする課題】
【０００５】
本発明は、上述のごとき実情に鑑みてなされたもので、無影灯の光源を複数枚の有機ＥＬパネルで構成するとともに、これら複数枚の有機ＥＬパネルの光照範囲を相対的に調整可能とし、もって、患者に合せて或いは用途に合せて照明パターンを変更できる歯科用無影灯を提供することを目的としてなされたものである。
【課題を解決するための手段】
【０００６】
請求項１の発明は、複数枚の有機ＥＬパネルから成り、各パネルが回動軸を介して回動可能に連結されていることを特徴としたものである。
【０００７】
請求項２の発明は、請求項１の発明において、前記有機ＥＬパネルは、変換可能に連結されており、大きさ又は形状の異なる有機ＥＬパネルと交換可能であることを特徴としたものである。
【０００８】
請求項３の発明は、請求項１又は２の発明において、前記無影灯を支える支持アームは、伸縮自在であることを特徴としたものである。
【発明の効果】
【０００９】
本発明によると、使用状態に応じて照明パターンを調整することができ、より効果的な無影照明が可能となり、また、無影灯本体のみならず、該無影灯を支持するアーム等を含めた全体を軽量にできるので、ヘッド部（光照射部）の位置調整等の操作が非常に楽になる。
【図面の簡単な説明】
【００１０】
【図１】本発明による無影灯の一実施例を説明するための全体構成図である。
【図２】本発明による無影灯のヘッド部の構成例を示す図である。
【図３】従来の無影灯の一使用形態を説明するための図である。
【発明を実施するための形態】
【００１１】
図１は、本発明による歯科用無影灯の一実施例を説明するための要部概略構成図で、図中、２０は本発明による無影灯、２１，２２は該無影灯２０を支持する支持アームで、本発明においては、無影灯２０は、複数枚の有機ＥＬパネルから成り、例えば、図２に示すように、３枚の有機ＥＬパネル２０１〜２０３から成り、これらが軸２０’によって回動可能に連結されており、これによって、照明パターンを変えることができるようになっている。また、両側のパネル２０２，２０３は、中央のパネル２０１に対して着脱自在に取り付けられており、照明対象によっては、これら両側のパネル２０２，２０３を小型或いは大型のパネル、或いは、形状の異なるパネルと取り替えることによって照明領域、照明パターンを変えることができるようになっている。
【００１２】
上述のように、本発明によると、無影灯の光源部（ヘッド部）２０が、有機ＥＬパネルで構成されているため、無影灯のヘッド部２０を構造的に軽く、薄くすることができ、そのため、アームの自由度が増し、アーム部２１，２２を細くすることができ、患者に圧迫感を与えない設計が出来る。例えば、図１に示したように、スタンドタイプのユニットにおいて、治療椅子１の高さに合わせて無影灯の支柱（アーム２１，２２）を伸縮可能にすることができ、アーム部を伸縮式にすることによって無影灯（ヘッド部）２０の位置を調整しやすくなる。
【００１３】
上述のように、本発明によると、無影灯を複数枚の有機ＥＬパネルで構成し、これらパネルの光照射方向を相対的に調整可能にしたので、無影灯の照明パターンを被照明対象に応じて調整することが可能であり、また、無影灯（ヘッド部）が有機ＥＬパネルで構成されているため、軽量であり、従って、無影灯を支えるアーム（支持柱）を軽量化し、伸縮式とすることによって、無影灯の位置（ポジション）調整が容易となる。
【符号の説明】
【００１４】
１…歯科治療椅子、３…スピットン、２０…無影灯、２０１〜２０３…有機ＥＬパネル、２０’…回動軸、２１，２２…無影灯支持アーム。
【図１】
2011036548.tif 000003
【図２】
2011036548.tif 000004
【図３】
2011036548.tif 000005
(57)【要約】【課題】本発明は石膏ボードの表面に珪藻土を薄く塗布して上昇してくる匂いを電気等を使わず消臭量を多くする。【解決手段】天井等の石膏ボードに薄く珪藻土を塗布したもので、上昇してきた匂いを吸着し消臭する。また、電気等のエネルギーを一切使わずエコになる。【選択図】図３
2011036536.tif 000002
【特許請求の範囲】
【請求項１】
石膏ボードの表面に珪藻土を薄く塗布して、電気等を使わず消臭量を多くする消臭ボード。
【発明の詳細な説明】
【技術分野】
【０００１】
本発明は石膏ボードの表面に珪藻土を薄く塗布して上昇してくる匂いを電気等を使わず消臭量を多くする。
【背景技術】
【０００２】
特に文献の知識は、ないです。
【発明の開示】
【発明が解決しようとする課題】
【０００３】
しかし、従来の室内で空気清浄機を使用する場合、電気を使用しなければならない。
【課題を解決するための手段】
【０００４】
この課題を解決するための請求項１の発明は、石膏ボードの表面に珪藻土を薄く塗布し少量の珪藻土の材料で電気を一切使わず消臭させる。
【発明の効果】
【０００５】
本発明により、少量の珪藻土で空気清浄機を使用せず、電気等も使わず消臭できる。
【発明を実施するための最良の形態】
【０００６】
図１は石膏ボードの表面に薄く塗布した断面図です。
【０００７】
図２は石膏ボードに珪藻土を薄く塗布したものを上から見た図です。
【０００８】
図３は珪藻土を薄く塗布した石膏ボードを、天井に貼った図です。
【産業上の利用可能性】
【０００９】
本発明に係わる珪藻土を薄く塗布した石膏ボードは量産することが可能であるため産業上の利用、可能性を有する。
【図面の簡単な説明】
【００１０】
【図１】石膏ボードの表面に珪藻土を薄く塗布した断面図である。
【図２】石膏ボードの表面に珪藻土を薄く塗布したものを上から見た図である。
【図３】石膏ボードの表面に珪藻土を薄く塗布したものを、天井に貼った図である。
【符号の説明】
【００１１】
1石膏ボードの表面
2薄く塗布した珪藻土
3石膏ボードの表面に薄く塗布した状態
4珪藻土を薄く塗布した石膏ボードを天井に貼ったもの
【図１】
2011036536.tif 000003
【図２】
2011036536.tif 000004
【図３】
2011036536.tif 000005
(57)【要約】【課題】本発明は、生ゴミ水、生活汚水、農業汚水、産業汚水、下水汚水等から起因する環境汚染を汚水分解技術でもって、消臭、魚類保護、植物の生息できる環境を提供することにある。しかも、高度な設備費用を必要としない汚水分解剤であること。【解決手段】汚水成分を珪藻土、ゼオライト、パーライト、籾殻、木質破片、おがくず等の多孔質体に含有、吸着させることにより塩素除去、酸化触媒反応をおこさせる。臭気物質を酸化分解させることにより、酸化触媒し反応する臭気物質を分解させる能力技術の開発である。蛋白質の腐敗臭、動物の排泄物質等の分解チッソ、リンサン等の残留農薬の吸着分解、流失油等の有害物質の吸着、静菌作用、酸度調整による有効バクテリアの生息環境を整え優れた効果を発揮する。超微細、超多孔質の天然素材は残留農薬や重金属を吸着分解し、においの二次発生源である雑菌の繁殖を防止し脱臭効果がある。ゼオライトの生ゴミ水、汚水処理においては、アンモニア、チッソの除去。重金属イオンの吸着除去、染色排水の脱色浄化、放射性廃水の処理、硬水の軟水化をする。アンモニアガスの吸着もあり、ガス体の分離として酸素、チッソの分離をする。アンモニア、チッソの吸着による脱臭作用、環境改善をし、環境保護、保全に貢献することを特徴とする。【選択図】なし【特許請求の範囲】
【請求項１】
汚水分解処理として多孔質の珪藻土のシリカ構造、パーライトに浸透させ、ゼオライト、おがくず、木質破片、籾穀の醗酵分解構造にバクテリアを浸透させたことを特徴とする。
【請求項２】
該固体担体が無機質の珪藻土、パーライト、ゼオライト等の担体もしくは、混合担体をバクテリアに浸透させたことを特徴とする。
【請求項３】
該固体担体が有機質のオガクズ、木質破片、籾殻等の担体もしくは、混合担体をバクテリアに浸透させたことを特徴とする。
【請求項４】
請求項２から３の混合担体をバクテリアに浸透されたことを特徴とする。
【請求項５】
上記においての趣旨を逸脱しない範囲の変更は、本発明に含まれる。
【発明の詳細な説明】
【技術分野】
【０００１】本発明は、水に含有する有害物質をバクテリアの付着担体の処理技術に係わる。
処理技術の向上を図ることにより環境改善、保護、保全に寄与する。【０００２】バクテリアの担体を有害質体に含浸させ生息させることにより質体の有機物を炭酸ガスと水に分解低減させる。その、製造方法に関する。
【背景技術】
【０００３】生ゴミ汚水、生活汚水、農業汚水、産業汚水、下水汚水により環境悪化が進んでいることから、悪臭、魚類、植物の生息に問題が起きている。
対策として設備、機材が投入されているものの、十分な生ゴミ、汚泥処理対策にいたっていない。
【発明の開示】
【発明が解決しようとする課題】
【０００４】本発明は、汚れ、化学物質、重金属、リン、チッソ、アンモニアをバクテリア担体、質体が、重金属等、汚れを吸着し、微生物、細菌類を自然分解させることにより、バクテリア担体の栄養分に変わり、水質浄化し、自然環境を復元させる。【０００５】バクテリア担体の培養、付着質体は、有機担体、無機担体の表面積の大きい質体が良く、好ましくは、有機担体の、籾殻、おがくず、木片チップの単一もしくは混合物など、無機担体は、秋田県北秋田市より産出する多孔質珪藻土、パーライト、秋田県能代市二ツ井より産出するゼオライトの単一もしくは混合などがある。有機担体もしくは無機担体、その混合することは望ましい。
この新技術は、環境ホルモンを含む処理用途に拡大できる。【０００６】本発明は、上記の機能、性能と有用性の組み合わせを環境改善材の提供を目的とする。
【課題を解決するための手段】
【０００７】上記の処理については、数多くの提案がなされ実用化されているものの、設備投資額と多大なる費用と人力を必要としたが、生態系に汚染を引き起こしていた。
また、水質汚水及び重金属の水質浄化が河川に放出され自然汚染や二次製品による環境破壊、水質汚染、悪臭に問題があった。
珪藻土、ゼオライトを粉砕し８００度以上で焼成する処理方法。粉砕物質６０〜８０重量％混合物２０〜４０重量％を混合し、多孔質構造の機能を向上させたものを特徴とする。
本発明の浄化剤は生ゴミ、汚泥を分解し、消臭を吸収分解する環境浄化剤であり環境汚染はなく、維持管理費の少ない生ゴミ水、汚水分解剤を提供する。
珪藻土、パーライト、ゼオライトの粒体１〜５ｍｍと炭素源としての、おがくず、木質破片、籾殻の粒子、との組み合わせに、汚水を浸潤する。汚染の原因であるチッソやリンなどの物質浄化は、好ましいｐＨは、±４の水質浄化においてバクテリアの作用により汚水分解作用がある。有機質担体は、バクテリア効果から質体が低減していくが、無機質担体の使用後は土壌改良剤として還元され資源循環型社会の推進とする。【０００８】前記珪藻土の組成分析結果を［表１］に前記ゼオライトの組成分析結果を［表２］に示す。
【発明の効果】
【０００９】天然素材の珪藻土、パーライト、ゼオライト、おがくず、木質破片、籾殻等の有用な特徴と細孔部に吸着保持されたバクテリアの相乗効果による環境改善材を得ることができた。
天然資源が有する特性から、独自効果の大きい作用が発見された。【００１０】さらに環境改良材として、持続的効果の得られることが発見された。【００１１】有用なバクテリアを担体質体に付着、浸透させることにより汚水を分解する。
本発明による汚水分解剤は、安全性・経済性ともに優れ、低コストでしかも実用に優れた酸化分解を特徴とする環境用剤に関する。
【発明を実施するための最良の形態】
【００１２】珪藻土、パーライト、ゼオライト、おがくず、木質破片、籾殻の単一、混合物から成り、汚水及び有害物質を除去する。【００１３】本発明の水質浄化剤は天然多孔質物質をベースとする。
【産業上の利用可能性】
【００１４】本発明に係る浄化剤により、生ゴミ水、生活汚水、農業汚水、産業汚水、下水汚水等にバクテリア酸化分解作用が働き、汚水を低減分解する。
〔書類名〕図書
【表１】
2011036843.tif 000002
【表２】
2011036843.tif 000003
(57)【要約】【課題】本発明は、処理の効果、効率、安価な有害物処理を図る。木質チップによる廃棄物処理剤の基材開発である。生活汚泥、農業汚泥、産業汚泥、畜産汚泥、下水汚泥等から起因する汚水の環境汚染を分解技術、封じ込め技術でもって排水処理、魚類保護、植物の生息できる環境を提供することにある。しかも、高度な設備費用を必要としない容易に製造できることを特徴とする。【解決手段】木質チップを製法加工、物理的処理をすることによって多孔質化が実現でき、有害物質汚泥、廃水等の廃棄物質の分解消滅処理剤は能力技術の開発であり、それの粒子、土粒子に有害物を付着させての封じ込め、水浄化する。【選択図】なし【特許請求の範囲】
【請求項１】
木質チップの粒子を多孔質構造に製法、加工し微生物の浸透可能を特徴とする。
【請求項２】
木質チップの粒子を処理剤、加熱、乾燥処理を施したことを特徴とする。
【請求項３】
木質チップの粒子に好気性菌の繁殖培養助長を可能とすることを特徴とする。
【請求項４】
有害物質は粒子、土粒子に付着する性質をとらえ、有害物質を袋体またはストックヤード、ピット装置内の粒子に残留，担持、保有をさせ、脱水作用で水分を透過させ、付着物の有害物質の封じ込め処理方法。
【請求項５】
廃棄物、建設工事、汚泥一般を含む一種または複種類からなる有害物質の封じ込め処理方法。
【請求項６】
前記袋体は、好ましくはポリエステル、ポリプロレン等化学繊維で成形された透水性袋体の使用が望ましい。
【請求項７】
前記透水性袋体は、好ましくは数枚重ね入れた多重袋体の効果は発揮される。
【請求項８】
請求項４に請求項１から３の透水性のある木質チップの粒子に透水してなる水質浄化方法を上記に取り入れた有害物質の封じ込め処理方法。
【請求項９】
上記土粒子に付着した有害物を封じ込めた袋体は、所定の基準を満たした指定された場所内に封じ込める、請求項１から７の１項または複数項記載の有害物処理方法。
【請求項１０】
上記においての趣旨を逸脱しない範囲の変更は、本発明に含まれる。
【発明の詳細な説明】
【技術分野】
【０００１】本発明は、有害物質が粒子、土粒子に付着反応する性質を取り入れた有害廃棄物処理技術に関する。
【背景技術】
【０００２】有害廃棄物質処理、産業汚水、家庭からの排水汚水、生活汚水、農業汚水、産業汚水、下水汚水等の混雑により人体、環境に悪化が進んでいることから、悪臭、魚類、植物の生息に有害物問題が起きている。【０００３】かかる問題処理として各種技術開発がなされてきた。しかし、対策として設備、機材が投入されているものの、十分な処理対策に至っていない。
【発明の開示】
【発明が解決しようとする課題】
【０００４】本発明は、木質チップの粒子を多孔質化処理をすることにより、好気性菌の繁殖宿培養によって浄化効果が得られる。その浄化処理基材とその製造方法の発明。
汚水、化学物質、リン、チッソ、アンモニアなどの汚れを吸着し微生物、細菌類を自然分解させることにより微生物担体の栄養分に変えることにより分解浄化することで自然環境の保護を試み為される。【０００５】木質チップは、森林間伐材、道路工事、流木、解体工事等の木材資源の有効活用を図ることによる、資源リサイクルの貢献になる。
この新技術は、環境ホルモンを含む処理用途に拡大できる。【０００６】本発明は、木質チップの粒子の有用性を請求項１から３を環境改善剤としての提供を目的とする。【０００７】請求項４の有害物質は、粒子、土粒子に付着する性質をとらえ、有害物質を袋体またはストックヤード、ピット装置内の粒子、土粒子に残留，担持、保有をさせ、脱水作用で水分を透過させ、付着物の有害物質の封じ込め、ならびに排水基準値を下回る処理方法。
【課題を解決するための手段】
【０００８】上記課題を解決するには、汚水処理については、数多くの提案がなされ実用化されているものの、設備投資額と多大なる費用と人力を必要としたが、生態系に汚染を引き起こしていた。
また、水質汚水が河川に放出され自然汚染や二次製品による環境破壊、水質汚染、悪臭に問題があった。【０００９】木質チップの粒子を多孔質にすることでの効果は、表面積、空隙率の多孔質構造機能を活用したものを特徴とする。
本発明の浄化材は、排水、汚泥を消化消滅、吸収分解する環境浄化剤であり環境汚染はない。【００１０】本発明の浄化処理基材の有効性は資源循環型社会の推進とする。【００１１】本発明によって汚水、汚泥処理、産業、畜産業のし尿処理においても対応し有効活用は確立された。
【発明の効果】
【００１２】天然素材の木質チップの粒子は有用な特徴と細孔部に吸着保持された微生物の相乗効果による環境改善剤を得ることができた。天然資源が有する特性から、独自効果の大きい作用が発見された。【００１３】さらに環境改良剤として、持続的効果の得られることが発見された。【００１４】有用な微生物が多孔質体に付着、浸潤され廃棄物の分解処理ができた。
本発明による廃棄物質処理剤は、安全性、経済性ともに優れ、低コストでしかも実用に優れた従来にない環境用剤を供することができた。【００１５】上記の粒子効果は、有害物質を含む土化した物質を封じ込め、減溶化できる。また脱水に伴っての排出水は、環境基準値を下回る。
【発明を実施するための最良の形態】
【００１６】本発明の木質チップの粒子を汚水に接触することで有害物質が吸着、付着され封じ込められる。固液分解によるＢＯＤ減少反応がおきる汚水および有害物質が分解された。【００１７】さらに、固液分解のＳＳ，ＢＯＤは水分反応となった。【００１８】このことは、醗酵分解消化の条件から無数の菌、微生物菌が発生した。【００１９】発生した菌、微生物菌は、ＳＳ，ＢＯＤ源を分解消化によって二酸化炭素や水に分解される。【００２０】このような多面性のある物質粒子によって浄化された水となる。【００２１】本発明の廃棄物質処理剤は天然多孔質物質をベースとする。【００２２】有害廃棄物質の封じ込めの袋体は、好ましくはポリエステル、ポリプロレン等の化学繊維で成形された透水性袋体の使用が望ましい。【００２３】前記透水性のある袋体を好ましくは数枚重ね入れた多重袋体にする効果は、重ねると透過孔が小さくなり濾過効果と水と移動する際有害物質が粒子、土粒子等に封じ込まれる。【００２４】上記に透水性のある木質チップの粒子に透水してなる水質浄化方法を取り入れた有害物質処理方法。
【産業上の利用可能性】
【００２５】本発明に係る有害物質の封じ込め処理技術は、建設工事、汚泥一般を含む一種類または複種類からなる有害物質を封じ込める。有害廃棄物、生活汚泥、農業汚泥、産業汚泥、家畜汚泥、下水汚泥等を低減分解、封じ込みをする。起因する排出水の環境汚染を低減分解する。
(57)【要約】【課題】珪藻土の細孔構造、多孔質体は表面積の大きい特徴を水分供与体をもって脱酸素剤を提供する。その自然素材の活用をもって脱酸素剤とする。【解決手段】好ましくは、良質な焼成した粒状の珪藻土を用い、細孔構造、多孔質体に液類を吸着させる成形された脱酸素剤は、安心、安全、衛生面に優れ、安定供給、安価な脱酸素剤が提供できる。【選択図】なし【特許請求の範囲】
【請求項１】
脱酸素促進を有する焼成粒状珪藻土に水分を含有することを特徴とした脱酸素剤。
【請求項２】
焼成粒状珪藻土処理に水、調湿液を含浸させる脱酸素剤。
【請求項３】
脱酸素剤を通気性包装材とした。
【請求項４】
請求項１，２，３の脱酸素剤の趣旨を逸脱しない範囲の変更は、本発明に含まれる。
【発明の詳細な説明】
【技術分野】
【０００１】珪藻土の細孔構造、多孔質体の素材に含有水分供与体からなる特徴とした脱酸素剤に関する。【０００２】本発明の脱酸素剤は、天然素材を成形し、環境再生と保全、産業開発に貢献をする。。
【背景技術】
【０００３】無酸素に関する技術では、吸収余力が十分有しておらず、水分の染み発生を抑えなければならず、ゼオライト、パーライト、シリカゲルなどの利用がある。しかし、担体量面積に課題を残している。【０００４】従来、担体の小型酸素吸着剤として、アルカリ物質が実用されているがｐＨ抑制に困難さを残している。
【発明の開示】
【発明が解決しようとする課題】
【０００５】従来の活性吸着剤は、使用前、使用後の処理において、経済上および環境汚染上に難点がある。【０００６】吸着剤を活用する場合は、より微細に、より多くの細孔構造を多く持つ多孔質体、表面積をもっての素材は、吸着性が強く吸収効果が発揮される。【０００７】天然素材の珪藻土を基材にした本発明は、安定供給を可能とし、安心、安全、安価な小型化に成形した脱酸素剤を提供することを目的とする。
【課題を解決するための手段】
【０００８】本発明の脱酸素剤は、細孔構造、多孔質体素材の吸着特性を発揮し、水分蒸発を保持され多孔質体を基材とした脱酸素剤を製造することが出来る。【０００９】本発明における脱酸素剤は浄化機能があり、その表面積の大きさの特性が塩素除去機能、除菌機能、消毒機能をなし、その効果の活用を特徴とした。
【発明の効果】
【００１０】本発明は、珪藻土素材の多孔質と表面積の大きさの特徴を活用とした。脱酸素剤の製造技術は、高性能が発揮され、安価に、しかも製造工程は特別な技術を要しないのが特徴。【００１１】本発明の脱酸素剤は、多孔質体に水，調湿液を含浸させる水分供与体よりなり、有効に取り組むことができる。【００１２】多孔質体は埋蔵量の多い天然素材の珪藻土を用いることから安定供給、しかも安価である。【００１３】本発明の原料は天然素材であり、有害物質は発生しない。【００１４】本発明の製造技術は単純であり高度技術を要しない。
【発明を実施するための最良の形態】
【００１５】好ましくは、秋田県北秋田市より産出される良質な粒状多孔質珪藻土を素材とした脱酸素剤が望ましい。【００１６】粒状珪藻土は、保水容量のある、液状保持性特徴を有している。【００１７】焼成処理による、珪藻土多孔質体に液状を含浸させる合理的な成形が特徴。【００１８】この実施例については珪藻土の多孔質体の細孔構造や表面化学特性の部分に水分供与体よりなる特異性の脱酸素剤を特徴する。
【産業上の利用可能性】
【００１９】脱酸素剤は、食品保存技術に、カビ、細菌防止，酸化防止、品質劣化防止等に優れた脱酸素に関する。【００２０】脱酸素剤の常温固化が可能であることから運搬、工程、取扱が有用に活用できる。【００２１】脱酸素剤は、食品保存、医薬品保存等品質保持用途に必要とされることを特徴とした。
〔書類名〕図書
【表１】
2011036845.tif 000002
(57)【要約】【課題】光触媒カレンダー等の紙製品を、作成するに当たって従来の形態をそのままにして、用紙のみを光触媒紙に変更しただけでは、十分光触媒効果が得られないので、光触媒紙に適した製品の形態を創るのが課題である。【解決手段】例えば、従来の卓上スタンド△の場合、このままの形では光触媒に有効な白地部分の面積が小さいので、これを拡大化する。【選択図】図３
2011036841.tif 000002
【特許請求の範囲】
【請求項１】
光触媒紙の厚手の長方形の１枚の用紙のタテ方向に５列のミシン目を施し、６区画に分割しＮｏ１区画の面積を最大としＮｏ２、Ｎｏ５区画は、Ｎｏ１の約半分の面積とし、Ｎｏ３，Ｎｏ４，Ｎｏ６は何れも高さの低い小区画とし、Ｎｏ３，Ｎｏ４区画は２つ折にして、２枚重ねとし、その両端の小部分に糊を施して接着し区画Ｎｏ４とＮｏ５の下部をポケット状にし、Ｎｏ１区画の下半分、Ｎｏ２区画及びＮｏ５区画を三辺として△形に折り、Ｎｏ６区画及びＮｏ１区画の両端をそれぞれクリップで止め、Ｎｏ１区画の上半分が△形より突出して全体の型が△となり又最大区画Ｎｏ１の外側に印刷を施さない白紙のままの日光受光面とし、これに日光を当てれば光触媒効果によってその近くの空気が浄化されかつクリップを外せば容易に分解可能なことを特徴とする光触媒フォーム。
【請求項２】
光触媒紙の厚手の用紙の長手方向に直角に複数列のミシン目を施してジグザグ状に折り、光触媒紙の表側にカレンダー等を印刷し、裏面は白紙のままとし、その複数区画の両端の巾の狭い区画をフラップとし、フラップには粘着用両面テープ等を貼ったものを光触媒窓貼りフォームとする。
窓ガラスの上下または水平方向に沿って添付したとき窓ガラスと光触媒まどはりフォームとの間にＷ状の空気層が形成され外部から光が光触媒紙の白地に当たったとき、この空気層内の空気が光触媒の効果によって浄化され得られた綺麗な空気が室内に循環することを特徴とする光触媒フォーム。
【発明の詳細な説明】
【技術分野】
【０００１】本発明は、光触媒紙を卓上カレンダー、卓上△スタンド、窓かけフォーム、及びそれに類する色々な紙製品に利用しようとするものである。
【背景技術】
【０００２】光触媒紙を従来の卓上及び壁掛けフォームに応用する場合、光触媒紙に従来と同様の印刷を施したのでは、光触媒の効果は極めて少ない。何故ならば光触媒紙の印刷面は光触媒効果が印刷により消えてしまい光触媒効果が発揮される白地部分が少なくなるのが普通である。
【発明の開示】
【発明が解決しようとする課題】
【０００３】従来の欠点を解決し光触媒効果を発揮する光触媒フォーム等を提供するのが本発明の課題である。
【課題を解決しようとする手段】
【０００４】課題を解決するには、フォームに於ける印刷部分と光触媒効果の発揮される白地の部分とを明確に分離し、かつ使用上の便利性を維持することが重要である。
【発明の効果】
【０００５】従来技術に比べて
１．１枚の光触媒紙から成っても、白地部分が大きく十分な光触媒効果がある。
２．カードポケットが広告面下部に在るのでこれを利用して写真、絵葉書等を添付すれば卓上の額やファイルとして便利でき便利である。
３．卓上型だけでなく、まどかけ型も可能なのでより空気・環境浄化に役立つ。
４．製品の組み立て分解が簡単である。
【発明を実施する上での最良の形態】
【実施例１】  図１、２、３、【０００６】１枚の長方形の光触媒紙１に於て図１のように平行な横ミシン目２−１，２−２，２−３，２−４，２−５を施して、全体を６区画１−１，１−２，１−３，１−４，１−５，１−６に分割し、１−１の面積を最大とし、１−２，１−５の２区画の面積いずれも１−１の約１／２以下とし、その他の区画１−３，１−４，１−６は何れも高さの低い小区画とする。
図２では、１−３，１−４の小区画を２つ折して２枚重ねとし、その両端の小部分に糊３をほどこして接着し、１−３，１−４から成る小ポケット４をつくる。
図３は、この△型光触媒フォームの組み立て側面図であってミシン目２−５を最大区画１−１の中央にあてがって下端区画１−６の両端をクリップ５によって結合するれば、卓上型光触媒フォームが完成し、区画１−１の外側白紙部分を日光６に当てれば光触媒効果によって周囲の空気が浄化される。
【実施例２】  図４、５【０００７】図４に於いてタテ長の光触媒紙の両端に巾の狭いフラップを設け、その他の部分に等間隔にミシン目を施して、ジグザグ状に折ってまどかけ光触媒フォームの本文区画とし、この本文の内側に所要の印刷を施し、外側は白紙のままとし上下フラップの部分に粘着テープ、又はフックに引っ掛けるための吊るし孔を施し、図５のように窓ガラス面８、又は窓の上下のレール部分を利用して取付ければ光触媒フォームとの間にＷ形の空間９−１，９−２，９−３…を生じ光触媒フォームの外側白地面に日光６が当たることによってＷ形空間内の空気浄化され、更に室内の空気と循環することによって空気浄化が促進される。また夏季にはこのジグザグ光触媒フォームは日よけとしての役割果たすことがもできることを特徴とする窓掛け光触媒フォーム
【図面の簡単な説明】
【０００８】
【図１】：本発明に於ける光触媒フォーム正面図
【図２】：本発明に於ける光触媒フォーム側面図
【図３】：本発明に於ける光触媒フォームの組立図
【図４】：本発明に於けるまどかけ光触媒フォームの見取り図
【図５】：本発明に於けるまどかけ光触媒フォームの側面図
【符号の説明】
【０００９】１                        ：光触媒紙
１−１，１−２，１−３    ：光触媒紙の分割された区画
１−４，１−５，１−６
２−１，２−２，２−３    ：ミシン目
２−４，２−５
３                        ：接着剤
４                        ：小ポケット
５                        ：クリップ
６                        ：太陽光線（日光）
７                        ：まどかけ用光触媒フォーム
８                        ：まどガラス
９−１，９−２            ：まどガラスと、まどかけ用光触媒フォームとの間のＷ空間
【図１】
2011036841.tif 000003
【図２】
2011036841.tif 000004
【図３】
2011036841.tif 000005
【図４】
2011036841.tif 000006
【図５】
2011036841.tif 000007
(57)【要約】【課題】  ＩＴ技術・制御技術を用いて、電力消費者の電力使用量と、太陽電池・風力発電・小規模水力発電等による電力供給者の電力供給量と、電力会社の発電量を通信手段により監視し及び／またはコントロールするよう構成された送電網（いわゆるスマートグリッド）が提案され実用化しつつあるが、電柱による送電網だとベビーカーや車いすが危険にさらされたり、災害救助の妨げになったり、有線通信の場合災害時に信号線が断線したりする問題がある。【解決手段】  スマートグリッドにおいて、送電網の一部を地中化もしくは無電柱化する。【選択図】図１
2011036118.tif 000002
【特許請求の範囲】
【請求項１】
ＩＴ技術・制御技術を用いて、電力消費者の電力使用量と、太陽電池・風力発電・小規模水力発電等による電力供給者の電力供給量と、電力会社の電力供給量を通信手段により監視及び／またはコントロールするよう構成された送電網において、送電線・通信線等の一部を地中化もしくは無電柱化することを特徴とする送電網。
【発明の詳細な説明】
【発明の詳細な説明】
【技術分野】
【０００１】  本発明は、電力消費者、電力供給者と電力会社を結ぶ送電網に関するものである。
【背景技術】
【０００２】  近年、ＩＴ技術・制御技術を用いて双方向通信により電力使用量の検針作業を人が行わず電力使用量検出装置（いわゆる「スマートメーター」）が自動的に電力会社へ報告したり、太陽電池・風力発電・小規模水力発電等による電力供給者の電力供給量を自動的に電力会社へ報告したり、揚水発電・リチウムイオン電池・ＮＡＳ電池・電気自動車（プラグインハイブリッドカー等を含む）のバッテリーなどの蓄電装置の充電・放電を制御して、電力供給量・電圧・位相などを調整したり、停電事故発生時の問題個所を迅速に特定したりする送電網（いわゆる「スマートグリッド」）が提案され実用化しつつある。
【発明の開示】
【発明が解決しようとする課題】
【０００３】  ところが、電線を地中に敷設する「電線地中化」や、表通りからは見えないところ（裏通りなど）に電柱を設置したり、沿道家屋の軒下に配線したりする「無電柱化」は進んでおらず、台風・竜巻や地震により電柱が倒れて断線したり、電柱が道幅を狭めてベビーカーや車いすが危険にさらされたり、災害救助の際に電線や電柱が邪魔でヘリコプターが着陸できなかったり消防車による消火活動が制約されたりいといった問題がある。また、スマートメーター等の双方向通信を無線ではなく有線で行う場合には、信号線・光ファイバーなどを張り巡らせる必要があるが、電柱の上に架線すると、災害により電柱が倒れた時に電力線のみならず信号線・光ファイバーが切れて通信や制御ができなくなるというリスクも増大する。
【課題を解決するための手段】
【０００４】  本発明は、上記の課題を解決するためになされたもので、本発明にかかる送電網は、送電網の一部を地中化もしくは無電柱化するよう構成する。
【発明の効果】
【０００５】  本発明によれば、地中化もしくは無電柱化により下記の効果が得られる。
（１）景観の改善
（２）台風・竜巻・地震といった災害時に電柱が倒れて、電線や信号線・光ファイバーなどが切れたり垂れ下がったりすることによる感電災害の危険や、制御不能の危険を防ぐことができる。
（３）電柱が道幅を狭めることがなくなるので、ベビーカーや車いすが危険にさらされることが少なくなる。
（４）災害時に、消防車による活動の邪魔になったり、ヘリコプターの着陸の障害になったりすることがない。
【発明を実施するための最良の形態】
【０００６】  以下、図面を参照して本発明の実施形態について説明する。
図１は、本発明の実施形態に係る送電網の全体構成の例を表す模式図である。送電網１には発電所２、風力発電３、太陽電池４、電力消費者５、蓄電池６、電気自動車７が接続され、電力消費者５の電力消費量はスマートメーター８により検出されて発電所２に双方向通信により送信され、一方風力発電３・太陽電池４の発電量は図示しない電力計により発電所２に双方向通信で送信され、電力消費者５の電力消費量の変動や風力発電３・太陽電池４の発電量の変動が発生しても、電圧変動等が発生しないように発電所２の発電量や、蓄電池６・電気自動車（プラグインハイブリッドカー等を含む）７の充放電量を双方向通信により監視しコントロールするよう構成された送電網において、送電網１の一部が自動車１０が通行する道路９の地下に敷設されている。
【産業上の利用可能性】
【０００７】  本発明は、電力消費者の総電力消費量と、風力発電・太陽電池等の総発電量を双方向通信により監視し、電圧変動等が生じないように発電所の発電量や蓄電池、電気自動車の充放電量を調整するよう構成された送電網に用いて好適である。
【図面の簡単な説明】
【０００８】
【図１】本発明の実施形態にかかる、送電網の一部を地中化した送電網の全体構成の例を表す模式図である。
【符号の説明】
【０００９】１：送電網、２：発電所、３：風力発電、４：太陽電池、５：電力消費者、６：蓄電池、７：電気自動車、８：スマートメーター、９：道路、１０：自動車
【図１】
2011036118.tif 000003
【手続補正書】
【提出日】平成22年3月11日(2010.3.11)
【手続補正１】
【補正対象書類名】特許請求の範囲
【補正対象項目名】請求項１
【補正方法】変更
【補正の内容】
【請求項１】
スマートメーターを具備し、ＩＴ技術・制御技術を用いて、電力消費者の電力使用量と、太陽電池・風力発電・小規模水力発電等による電力供給者の電力供給量と、電力会社の電力供給量を通信手段により監視及び／またはコントロールするよう構成された送電網において、送電線・通信線等の一部を地中化もしくは無電柱化することを特徴とする送電網。
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
発電所及び太陽電池及び風力発電及び蓄電池が接続された送電網であって、スマートメーターを具備し、ＩＴ技術・制御技術を用いて、電力消費者の電力使用量と、太陽電池・風力発電・小規模水力発電等による電力供給者の電力供給量と、電力会社の電力供給量を通信手段により監視及び／またはコントロールするよう構成された送電網において、送電線・通信線等の一部を地中化もしくは無電柱化することを特徴とする送電網。